(57)【特許請求の範囲】
【請求項１】
ベース部材と、
前記ベース部材に保持されたコンタクトと、
第１方向に沿って排出位置と受容位置との間において移動可能となるように前記ベース部材に支持されたイジェクト部材と、
前記第１方向において前記イジェクト部材を前記排出位置に向けて押圧する押圧部材と、
前記ベース部材に組み合わされて前記第１方向と直交する第２方向に長手を有し且つ前記第１方向及び前記第２方向の双方と直交する第３方向に短手を有する開口を通してカードを受容する受容部を前記ベース部材と共に構成するカバーシェルと
を備えるコネクタであって、
前記ベース部材には、前記イジェクト部材の前記排出位置の位置決めを行う位置規定部と、前記イジェクト部材が前記排出位置にあるときに前記イジェクト部材が前記第３方向において前記ベース部材から離れることを規制する規制部とが設けられており、
前記規制部の前記規制により前記カバーシェルを前記ベース部材に組み合わせる前であって且つ前記イジェクト部材が前記押圧部材により前記排出位置に向けて押圧されている状態であっても前記イジェクト部材が前記ベース部材に仮保持されている
コネクタ。
【請求項２】
請求項１記載のコネクタであって、
前記イジェクト部材は、前記第３方向において前記カバーシェルに対向する対向面を有しており、
前記規制部は、前記排出位置にある前記イジェクト部材の前記対向面の一部と前記カバーシェルとの間に介在している
コネクタ。
【請求項３】
請求項１又は請求項２記載のコネクタであって、
前記ベース部材は、ハウジングと、金属フレームとを備えており、
前記ハウジングは、前記コンタクトを保持する主部を有しており、
前記位置規定部は、前記主部から前記第２方向の外側に向かって突出しており、
前記金属フレームは、前記ハウジングの前記主部から前記第２方向の外側に向かって延びる底部と、前記底部から前記第３方向に延びる側部とを有しており、
前記イジェクト部材は、前記ハウジングの前記主部の前記第２方向の端部と前記金属フレームの前記側部とにより前記第２方向における移動を規制された状態で前記第１方向に沿ってスライド可能となるように前記金属フレームの前記底部上に配置されており、
前記規制部は、前記金属フレームの一部として構成されている
コネクタ。
【請求項４】
請求項３記載のコネクタであって、
前記規制部は、前記側部から前記第２方向の内側に向かって延びている
コネクタ。
【請求項５】
請求項３又は請求項４記載のコネクタであって、
前記位置規定部は、前記ハウジングの一部として形成されており、
前記イジェクト部材にはカム溝が形成されており、
前記コネクタは、一端を前記位置規定部に回転可能に保持されると共に他端を前記カム溝に挿入されたカムフォロアを更に備えており、
前記規制部は、前記イジェクト部材の前記第１方向における移動に伴って前記他端が前記カム溝に追従することにより回転する前記カムフォロアと干渉しないように設けられている
コネクタ。
【請求項６】
請求項１乃至請求項５のいずれかに記載のコネクタであって、
前記カバーシェルには、前記カードの表裏と前後のどちらか一方又は両方の方向が誤っている状態での前記カードの挿入を防止する誤挿入防止部が設けられており、
前記誤挿入防止部は、前記第２方向において前記イジェクト部材の設けられている位置とは反対側に位置している
コネクタ。
【請求項７】
請求項６記載のコネクタであって、
前記カバーシェルは、一枚の金属板をプレスして得られる中間部材を折り曲げ加工して得られるものであり、
前記誤挿入防止部は、前記中間部材のエッジに相当する部位が前記受容部の前記開口側に向くように形成されている
コネクタ。
【請求項８】
請求項６又は請求項７記載のコネクタであって、
前記誤挿入防止部は、前記コネクタが搭載される基板に半田付けされるように構成されている
コネクタ。
【請求項９】
請求項１乃至請求項８のいずれかに記載のコネクタであって、
前記カードは、前記コンタクトと接触する接触部が形成された第１面と、前記第１面の裏面である第２面と、側面とを有しており、
前記コネクタは、前記第２方向において前記受容部内に張り出した張出部であって前記カードの前記側面に当てられることにより前記カードの前記接触部が前記コネクタ内部において短絡してしまうことを防止する張出部を有しており、
前記張出部の前記第３方向において前記カバーシェルから遠い方の端部は、前記カードの前記第２面が前記カバーシェルに押し付けられた状態であっても前記第３方向において前記第１面と比較して前記カバーシェルよりに位置している
コネクタ。
【請求項１０】
請求項９記載のコネクタであって、
前記張出部の前記端部は、前記カードの前記第２面が前記カバーシェルに押し付けられた状態であっても前記第３方向において前記カードの前記第１面から０．１ｍｍ以上離れている
コネクタ。
【請求項１１】
請求項９又は請求項１０記載のコネクタであって、
前記張出部は、前記カバーシェルの一部として形成されている
コネクタ。
【発明の詳細な説明】
【技術分野】
【０００１】
本発明は、microSIM（Subscriber Identity Module）カードのようなカードと接続するコネクタに関し、特に、プッシュ・プッシュ式の排出機構を備えたコネクタに関する。
【背景技術】
【０００２】
プッシュ・プッシュ式の排出機構を備えたコネクタとしては、例えば、特許文献１や特許文献２に開示されたものがある。図１３及び図１４に夫々示されるように、特許文献１のコネクタ及び特許文献２のコネクタは、いずれも、ベース部材と、そのベース部材と共にカードを受容する受容部を形成するカバーシェルと、カードを排出するためのイジェクト部材と、イジェクト部材を排出位置に向けて押圧する押圧部材（スプリング）とを備えている。
【先行技術文献】
【特許文献】
【０００３】
【特許文献１】特開２０１２−２８３３７号公報
【特許文献２】特開２００９−２８９６９９号公報
【発明の概要】
【発明が解決しようとする課題】
【０００４】
特許文献１のコネクタや特許文献２のコネクタの組立工程においては、押圧部材に押圧されているイジェクト部材がベース部材から外れてしまわないようにイジェクト部材を抑えつつ、カバーシェルをベース部材に取り付ける必要があり、組み立て易いとは言い難かった。
【０００５】
そこで、本発明は、上述したようなプッシュ・プッシュ式の排出機構を備えたコネクタであって組立易さの向上が図られたコネクタを提供することを目的とする。
【課題を解決するための手段】
【０００６】
本発明は、第１のコネクタとして、
ベース部材と、
前記ベース部材に保持されたコンタクトと、
第１方向に沿って排出位置と受容位置との間において移動可能となるように前記ベース部材に支持されたイジェクト部材と、
前記第１方向において前記イジェクト部材を前記排出位置に向けて押圧する押圧部材と、
前記ベース部材に組み合わされて前記第１方向と直交する第２方向に長手を有し且つ前記第１方向及び前記第２方向の双方と直交する第３方向に短手を有する開口を通してカードを受容する受容部を前記ベース部材と共に構成するカバーシェルと
を備えるコネクタであって、
前記ベース部材には、前記イジェクト部材の前記排出位置の位置決めを行う位置規定部と、前記イジェクト部材が前記排出位置にあるときに前記イジェクト部材が前記第３方向において前記ベース部材から離れることを規制する規制部とが設けられており、
前記規制部の前記規制により前記カバーシェルを前記ベース部材に組み合わせる前であって且つ前記イジェクト部材が前記押圧部材により前記排出位置に向けて押圧されている状態であっても前記イジェクト部材が前記ベース部材に仮保持されている
コネクタを提供する。
【０００７】
また、本発明は、第２のコネクタとして、第１のコネクタであって、
前記イジェクト部材は、前記第３方向において前記カバーシェルに対向する対向面を有しており、
前記規制部は、前記排出位置にある前記イジェクト部材の前記対向面の一部と前記カバーシェルとの間に介在している
コネクタを提供する。
【０００８】
また、本発明は、第３のコネクタとして、第１又は第２のコネクタであって、
前記ベース部材は、ハウジングと、金属フレームとを備えており、
前記ハウジングは、前記コンタクトを保持する主部を有しており、
前記位置規定部は、前記主部から前記第２方向の外側に向かって突出しており、
前記金属フレームは、前記ハウジングの前記主部から前記第２方向の外側に向かって延びる底部と、前記底部から前記第３方向に延びる側部とを有しており、
前記イジェクト部材は、前記ハウジングの前記主部の前記第２方向の端部と前記金属フレームの前記側部とにより前記第２方向における移動を規制された状態で前記第１方向に沿ってスライド可能となるように前記金属フレームの前記底部上に配置されており、
前記規制部は、前記金属フレームの一部として構成されている
コネクタを提供する。
【０００９】
また、本発明は、第４のコネクタとして、第３のコネクタであって、
前記規制部は、前記側部から前記第２方向の内側に向かって延びている
コネクタを提供する。
【００１０】
また、本発明は、第５のコネクタとして、第３又は第４のコネクタであって、
前記位置規定部は、前記ハウジングの一部として形成されており、
前記イジェクト部材にはカム溝が形成されており、
前記コネクタは、一端を前記位置規定部に回転可能に保持されると共に他端を前記カム溝に挿入されたカムフォロアを更に備えており、
前記規制部は、前記イジェクト部材の前記第１方向における移動に伴って前記他端が前記カム溝に追従することにより回転する前記カムフォロアと干渉しないように設けられている
コネクタを提供する。
【００１１】
また、本発明は、第６のコネクタとして、第１乃至第５のいずれかのコネクタであって、
前記カバーシェルには、前記カードの表裏と前後のどちらか一方又は両方の方向が誤っている状態での前記カードの挿入を防止する誤挿入防止部が設けられており、
前記誤挿入防止部は、前記第２方向において前記イジェクト部材の設けられている位置とは反対側に位置している
コネクタを提供する。
【００１２】
また、本発明は、第７のコネクタとして、第６のコネクタであって、
前記カバーシェルは、一枚の金属板をプレスして得られる中間部材を折り曲げ加工して得られるものであり、
前記誤挿入防止部は、前記中間部材のエッジに相当する部位が前記受容部の前記開口側に向くように形成されている
コネクタを提供する。
【００１３】
また、本発明は、第８のコネクタとして、第６又は第７のコネクタであって、
前記誤挿入防止部は、前記コネクタが搭載される基板に半田付けされるように構成されている
コネクタを提供する。
【００１４】
また、本発明は、第９のコネクタとして、第１乃至第８のいずれかのコネクタであって、
前記カードは、前記コンタクトと接触する接触部が形成された第１面と、前記第１面の裏面である第２面と、側面とを有しており、
前記コネクタは、前記第２方向において前記受容部内に張り出した張出部であって前記カードの前記側面に当てられることにより前記カードの前記接触部が前記コネクタ内部において短絡してしまうことを防止する張出部を有しており、
前記張出部の前記第３方向において前記カバーシェルから遠い方の端部は、前記カードの前記第２面が前記カバーシェルに押し付けられた状態であっても前記第３方向において前記第１面と比較して前記カバーシェルよりに位置している
コネクタを提供する。
【００１５】
また、本発明は、第１０のコネクタとして、第９のコネクタであって、
前記張出部の前記端部は、前記カードの前記第２面が前記カバーシェルに押し付けられた状態であっても前記第３方向において前記カードの前記第１面から０．１ｍｍ以上離れている
コネクタを提供する。
【００１６】
更に、本発明は、第１１のコネクタとして、第９又は第１０のコネクタであって、
前記張出部は、前記カバーシェルの一部として形成されている
コネクタを提供する。
【発明の効果】
【００１７】
本発明のベース部材には、イジェクト部材が排出位置にあるときにイジェクト部材が第３方向（カードの厚み方向：高さ方向）においてベース部材から離れることを規制する規制部が設けられている。この規制部の規制により、カバーシェルをベース部材に組み合わせる前であって且つイジェクト部材が押圧部材により排出位置に押圧されている状態であっても、イジェクト部材がベース部材に仮保持されることとなる。従って、本発明によれば、イジェクト部材が外れてしまうことを気にすることなく、カバーシェルをベース部材に組み付けることができる。
【図面の簡単な説明】
【００１８】
【図１】本発明の実施の形態によるコネクタ及びカードを示す斜視図である。
【図２】図１のコネクタを示す分解斜視図である。
【図３】図１のコネクタを示す上面図である。但し、カバーシェルは取り付けられていない。
【図４】図３のコネクタの一部をIV--IV線に沿って示す拡大断面図である。
【図５】図３のコネクタの組立工程を示す図である。
【図６】図１のコネクタを示す上面図である。図示されたコネクタはカードを受容している。
【図７】図６のコネクタの一部を示す拡大斜視図である。
【図８】図６のコネクタのカバーシェルの一部を透過して示す上面図である。
【図９】図６のコネクタの一部を示す拡大図である。
【図１０】図９のコネクタを示す拡大斜視図である。
【図１１】図１０のコネクタを示す拡大正面図である。
【図１２】図１のコネクタに用いられるイジェクト部材を示す斜視図である。
【図１３】特許文献１のコネクタを示す分解斜視図である。
【図１４】特許文献２のコネクタを示す分解斜視図である。
【発明を実施するための形態】
【００１９】
図１、図２及び図６を参照すると、本発明の実施の形態によるコネクタ１００は、カード５００と接続するものであり、導電体からなるコンタクト１１０，１１１と、コンタクト１１０，１１１を保持するベース部材１２０と、絶縁体からなるイジェクト部材１５０と、金属製のカムフォロア１６４と、ベース部材１２０に収容された押圧部材１７０と、ベース部材１２０に上方から取り付けられる金属製のカバーシェル１８０とを備えている。ベース部材１２０と、カバーシェル１８０は、開口１０４をＸ方向（第１方向）の端部に有し且つその開口１０４を通してカード５００を受容する受容部１０２を構成する。開口１０４は、Ｙ方向（第２方向）に長手を有し且つＺ方向（第３方向）に短手を有している。本実施の形態によるカード５００は、microSIMであり、図１１に最もよく示されているように、カード５００は、下面（第１面）５１０及び上面（第２面）５２０と側面５３０とを有しており、下面５１０にはコンタクト１１０と接触する接触部５１５が形成されている。また、カード５００は、図１及び図８に示されるように非対称な形状を有している。
【００２０】
図３に示されるように、コンタクト１１０，１１１は、弾性変形可能なバネ部１１２，１１３と、バネ部１１２，１１３に変位可能となるように支持されている接点部１１４，１１５とを有している。
【００２１】
図２及び図３に示されるように、本実施の形態によるベース部材１２０は、絶縁体からなるハウジング１３０と、金属フレーム１４０とからなる。本実施の形態において金属フレーム１４０は、ハウジング１３０の成型時にインサートモールド法によりハウジング１３０に組み込まれている。上述したコンタクト１１０，１１１も同様にハウジング１３０の成型時にハウジング１３０に保持されるように配されている。
【００２２】
図３に示されるように、ハウジング１３０は、略平板状の主部１３２と、主部１３２のＹ方向の端部１３４から外側に突出した位置規定部１３６とを有している。この位置規定部１３６は、後述するように、イジェクト部材１５０の移動限界位置の一方（排出位置）を規定するものである。位置規定部１３６には、−Ｚ方向に凹んだ穴状の軸受け部１３８が形成されている。
【００２３】
図３及び図４に示されるように、金属フレーム１４０は、ハウジング１３０の主部１３２からＹ方向の外側に向かって延びる底部１４２と、底部１４２から＋Ｚ方向（上方）に向かって延びる側部１４４と、側部１４４の一部からＹ方向の内側に向かって延びる規制部１４６とを有している。底部１４２は、Ｘ方向に長手を有し且つＹ方向に短手を有する板状形状を有している。なお、同様の金属フレームはハウジング１３０のＹ方向の反対側にも設けられているが、本明細書においては、発明の理解を容易にするため、基本的には参照符号を付したもののみについて説明をする。
【００２４】
本実施の形態によるイジェクト部材１５０は、排出位置（図３参照）と最奥位置（図８参照）との間で移動可能となるようにベース部材１２０に支持されている。このイジェクト部材１５０は、カード５００が受容部１０２に受容された状態において、受容位置（図６参照）に維持される。受容位置は、排出位置と最奥位置の間であって、最奥位置よりに位置している。即ち、カード５００が受容され且つイジェクト部材１５０が受容位置に位置している状態において、挿入方向（＋Ｘ方向）に沿ってカード５００を更に押すと、イジェクト部材１５０は最奥位置まで移動可能となっている。
【００２５】
詳しくは、図３及び図１２に示されるように、イジェクト部材１５０は、金属フレーム１４０の底部１４２上をスライドするスライド部１５２と、スライド部１５２のＸ方向の一端からＹ方向の内側に向かって突出した押出部１５６とを有している。
【００２６】
図４に示されるように、スライド部１５２は、ハウジング１３０の主部１３２の端部１３４と金属フレーム１４０の側部１４４とによりＹ方向における移動を規制されている。従って、スライド部１５２は、Ｘ方向に沿って移動可能となっている。図３に示されるように、イジェクト部材１５０が排出位置にあるとき、スライド部１５２は位置規定部１３６と接触している。従って、イジェクト部材１５０が排出位置を超えて排出方向（−Ｘ方向）に移動してしまうことはない。図２、図３及び図１２から理解されるように、イジェクト部材１５０の上面（即ち、Ｚ方向においてカバーシェル１８０と対向する面：対向面）１５４には、プッシュ・プッシュ機構を実現するためのハートカム形状のカム溝１６２が形成されている。図３及び図４に示されるように、金属フレーム１４０の規制部１４６は、排出位置にあるイジェクト部材１５０の上面１５４上に位置している。即ち、カバーシェル１８０をベース部材１２０に取り付けた状態において、規制部１４６は、排出位置にあるイジェクト部材１５０の上面１５４の一部とカバーシェル１８０との間に介在している。この規制部１４６は、排出位置にあるイジェクト部材１５０の上方（＋Ｚ方向）へ移動（即ち、Ｚ方向においてベース部材１２０から離れるような移動）を規制している。
【００２７】
図３に示されるように、押出部１５６は、受容部１０２内に張り出している。図３及び図１２に示されるように、押出部１５６は、カード５００の挿入方向である＋Ｘ方向と直交する押出面１５８を有している。この押出面１５８は、図１及び図３から理解されるように、受容部１０２の開口１０４側に向いており、受容部１０２にカード５００が受容される際にはカード５００の先端により挿入方向（＋Ｘ方向）に向かう力をカード５００から受けることとなる。逆に、受容部１０２にカード５００が受容されている状態においてイジェクト部材１５０が挿入方向の逆方向である排出方向（−Ｘ方向）に向かって移動する場合、押出部１５６の押出面１５８はカード５００の先端を排出方向に向かって押し出す。これにより、カード５００が受容部１０２から排出される。
【００２８】
図３に最もよく示されるように、イジェクト部材１５０と位置規定部１３６とに跨るように金属製のカムフォロア１６４が設けられている。カムフォロア１６４は、長い線の両端から平行に短い線が延びるようなコの字状を有している。カムフォロア１６４の一端は位置規定部１３６の軸受け部１３８に回転可能となるように保持されており、他端はイジェクト部材１５０のカム溝１６２に挿入されている。即ち、カムフォロア１６４の他端は、イジェクト部材１５０のＸ方向に沿った移動に伴い、カム溝１６２内を移動可能となっている。カムフォロア１６４の他端がカム溝１６２内を移動すると、カムフォロア１６４は一端を中心に回転する。本実施の形態による規制部１４６は、カムフォロア１６４が回転してもカムフォロア１６４と干渉しないように設けられている。従って、図４から理解されるように、本実施の形態においては、規制部１４６とカムフォロア１６４とをＺ方向において同レベルに配することができ、コネクタ１００の低背化を図ることができる。
【００２９】
図２及び図３に示されるように、本実施の形態による押圧部材１７０は、コイル状のスプリングであり、負荷がかけられた状態で、ベース部材１２０の後壁（挿入方向の奥側の壁）１２２とイジェクト部材１５０との間に取り付けられている。このため、押圧部材１７０は、Ｘ方向において、イジェクト部材１５０を排出位置に向けて常に押圧している。この押圧部材１７０とカム溝１６２及びカムフォロア１６４は、プッシュ・プッシュ機構を構成しており、カード５００を受容部１０２に受容した際にイジェクト部材１５０を受容位置に維持する役割を果たす。
【００３０】
排出位置にあるイジェクト部材１５０は、押圧部材１７０により位置規定部１３６に押し付けられている。この点は、特許文献１や特許文献２のコネクタと同様である。この場合、イジェクト部材１５０の特に押圧部材１７０に押圧されている部位は、上側（＋Ｚ方向）に向かう力、即ち、Ｚ方向においてベース部材１２０から離れる方向に移動させられるような力を受ける。かかる力に起因して、特許文献１や特許文献２のコネクタの場合、カバーシェルを取り付けるまでイジェクト部材がベース部材から外れてしまう可能性があったが、本実施の形態によるコネクタ１００の場合、かかる問題が解決されている。
【００３１】
具体的には、コネクタ１００の組立工程においては、図５（ａ）に示されるように、ベース部材１２０にイジェクト部材１５０を搭載し、図５（ｂ）に示されるように、ベース部材１２０を排出位置に移動させ、更に、図５（ｃ）に示されるように、カムフォロア１６４を取り付けて、図５（ｄ）に示されるように、押圧部材１７０を取り付けた後、ベース部材１２０に対してカバーシェル１８０を取り付ける。
【００３２】
本実施の形態によるコネクタ１００の場合、図５（ｄ）及び図３に示されるようなカバーシェル１８０を取り付ける前の状態においても、本実施の形態によるコネクタ１００のベース部材１２０には規制部１４６が設けられており、排出位置にあるイジェクト部材１５０のＺ方向への移動が規制されていることから、イジェクト部材１５０がベース部材１２０から＋Ｚ側に外れてしまうことがない。即ち、本実施の形態によれば、規制部１４６の規制によりカバーシェル１８０をベース部材１２０に組み合わせる前であって且つイジェクト部材１５０が押圧部材１７０により排出位置に向けて押圧されている状態であっても、イジェクト部材１５０がベース部材１２０に仮保持されている。従って、本実施の形態によるコネクタ１００によれば、カバーシェル１８０のベース部材１２０に対する組み付けを容易に行うことができる。
【００３３】
図１、図２及び図６に示されるように、カバーシェル１８０は、ハウジング１３０の主部１３２と共に受容部１０２を構成する略平板状の主部１８２と、主部１８２から下側（−Ｚ方向）に延びる側部１８６とを有している。主部１８２には、斜め前方下側（−Ｚ方向と＋Ｘ方向との合成方向）に向かって片持ち梁状に延びる押さえ部１８４が形成されている。この押さえ部１８４は、カバーシェル１８０をベース部材１２０に組み付けた状態において、カムフォロア１６４を上側（＋Ｚ側）から押さえており、これによってカムフォロア１６４がカム溝１６２から外れてしまうことを防止している。
【００３４】
上述したように、カード５００は、左右非対称な形状を有している（図１及び図８参照）。このカード５００の非対称な形状に起因して、カード５００を受容部１０２に正しい向きで受容した場合には、カード５００が到達しない領域１０６がＸ方向の奥側に存在している。
【００３５】
図６乃至図８に示されるように、主部１８２の領域１０６に対応する部位、即ち、Ｙ方向においてイジェクト部材１５０が設けられている側とは反対側であって挿入方向の奥側（＋Ｘ側）に位置する部位には、誤挿入防止部１９０が形成されている。即ち、カバーシェル１８０は誤挿入防止部１９０を有している。このように誤挿入防止部１９０をイジェクト部材１５０とは別に設けることにより、前述したように押出部１５６の押出面１５８を受容部１０２の開口１０４側に向けることができる。従って、カード５００の排出動作時にイジェクト部材１５０からカード５００に対して効率的に力を加えることができる。
【００３６】
特に、本実施の形態において、カバーシェル１８０は、一枚の金属板をプレスして得られる中間部材を折り曲げ加工して得られるものであり、誤挿入防止部１９０は、その中間部材のエッジに相当する部位１９２（即ち、プレス抜きした端面）が受容部１０２の開口１０４側に向くように形成されている。より具体的には、本実施の形態による誤挿入防止部１９０は、ＹＺ平面（挿入方向（Ｘ方向）と直交する平面）内において略Ｌ字状の断面を有している。このようにすることにより、誤挿入防止部１９０の強度を高めることができるため、カード５００が誤挿入されそうになった場合には、カード５００と誤挿入防止部１９０が干渉し、それによって、カード５００の誤挿入を防ぐことができる。
【００３７】
更に、本実施の形態において、誤挿入防止部１９０はコネクタ１００を基板（図示せず）に搭載固定する際に、基板上に半田付け等により固定される。そのため、本実施の形態による誤挿入防止部１９０は高い強度を有しており、カード５００が誤挿入されてきた場合にカード５００の完全な挿入を止めることができる。
【００３８】
図１１に最もよく示されているように、カード５００の接触部５１５は側面５３０まで達していることがある。かかる場合、接触部５１５が本来の接触対象であるコンタクト１１０，１１１以外の導体に対して接触してしまうことを避ける必要がある。ここで、カード５００の接触部５１５は、コンタクト１１０，１１１の接点部１１４，１１５と接触し、それによって、カード５００は、コンタクト１１０，１１１のバネ部１１２，１１３により上方（＋Ｚ側）に向かって押し上げられている。カード５００が最も上方（＋Ｚ側）に位置しているとき、カード５００の上面５２０はカバーシェル１８０に押し付けられている。この状態において、カード５００の接触部５１５が接触（短絡）してしまう可能性があるのは、カバーシェル１８０の側部１８６やベース部材１２０の一部などである。
【００３９】
かかる接触（短絡）を防止するため、図６乃至図１１に示されるように、本実施の形態によるカバーシェル１８０には、張出部１９４が更に設けられている。この張出部１９４は、イジェクト部材１５０が設けられている側とは反対側に位置しており、カバーシェル１８０の側部１８６からＹ方向において受容部１０２内に向かって張り出している。カード５００が受容部１０２に受容されると、張出部１９４がカード５００の側面５３０に当てられ、それにより、接触部５１５がカバーシェル１８０等に接触してしまうことを防止することができる。かかる短絡防止を行うため、図１１に示されるように、カード５００の上面５２０がカバーシェル１８０の主部１８２に押し付けられている状態であって、張出部１９４の下端（端部）１９６は、接触部５１５が形成されている下面（第１面）５１０と比較して、カバーシェル１８０の主部１８２より（即ち、上側（＋Ｚ側））に位置している。換言すると、張出部１９４は、Ｚ方向において接触部５１５が形成されている下面（第１面）５１０から離れて位置している。特に、本実施の形態では、短絡防止を確実なものとするため、カード５００の上面５２０がカバーシェル１８０に押し付けられている状態において、張出部１９４の下端１９６は、Ｚ方向においてカード５００の下面５１０から０．１ｍｍ以上離れている。従って、接触部５１５が側面５３０まで若干巻き込まれていたとしても本実施の形態によるコネクタ１００によれば、意図しない短絡の発生を避けることができる。
【００４０】
以上、本発明のコネクタについて実施の形態を掲げて具体的に説明してきたが、本発明はこれらに限定されるものではなく、様々な変形が可能である。
【００４１】
例えば、上述した実施の形態において、規制部１４６は、金属フレーム１４０の一部であったが、金属フレーム１４０と別途設けることとしてもよい。また、規制部１４６はイジェクト部材１５０の上面１５４上に設けられていたが、例えば、イジェクト部材１５０の側面に前後に延びる溝を形成し、その溝内に規制部１４６をＸ方向に沿ってスライド可能となるように収容することとしてもよい。
【００４２】
また、上述した実施の形態において、位置規定部１３６はハウジング１３０の一部として形成されていたが、金属フレーム１４０の一部として形成してもよいし、他の部材を更に用いて形成してもよい。
【００４３】
更に、上述した実施の形態において、張出部１９４は、カバーシェル１８０の一部として形成されていたが、ベース部材１２０の一部等で形成することとしてもよい。
【産業上の利用可能性】
【００４４】
本発明は、上述した実施の形態のようにmicroSIMカードのようなカードと接続するコネクタに適用できることに加え、SD（Secure Digital memory）カードやmicroSDカードのようなカードと接続するコネクタにも適用することができる。
【符号の説明】
【００４５】
１００        コネクタ
１０２        受容部
１０４        開口
１０６        領域
１１０，１１１        コンタクト
１１２，１１３        バネ部
１１４，１１５        接点部
１２０        ベース部材
１２２        後壁
１３０        ハウジング
１３２        主部
１３４        端部
１３６        位置規定部
１３８        軸受け部
１４０        金属フレーム
１４２        底部
１４４        側部
１４６        規制部
１５０        イジェクト部材
１５２        スライド部
１５４        上面（対向面）
１５６        押出部
１５８        押出面
１６２        カム溝
１６４        カムフォロア
１７０        押圧部材
１８０        カバーシェル
１８２        主部
１８４        押さえ部
１８６        側部
１９０        誤挿入防止部
１９２        部位（端面）
１９４        張出部
１９６        下端（端部）
５００        カード
５１０        下面（第１面）
５１５        接触部
５２０        上面（第２面）
５３０        側面
【要約】
【課題】プッシュ・プッシュ式の排出機構を備えたコネクタであって組立易さの向上の図られたコネクタを提供すること。
【解決手段】ベース部材１２０には、イジェクト部材１５０が排出位置にあるときにイジェクト部材１５０がＺ方向においてベース部材１２０から離れることを規制する規制部１４６が設けられている。この規制部１４６の規制により、カバーシェル１８０をベース部材１２０に組み合わせる前であって且つイジェクト部材１５０が押圧部材１７０により排出位置に押圧されている状態であっても、イジェクト部材１５０がベース部材１２０に仮保持される。
【選択図】図２【図１】
0005320489.tif 000002
【図２】
0005320489.tif 000003
【図３】
0005320489.tif 000004
【図４】
0005320489.tif 000005
【図５】
0005320489.tif 000006
【図６】
0005320489.tif 000007
【図７】
0005320489.tif 000008
【図８】
0005320489.tif 000009
【図９】
0005320489.tif 000010
【図１０】
0005320489.tif 000011
【図１１】
0005320489.tif 000012
【図１２】
0005320489.tif 000013
【図１３】
0005320489.tif 000014
【図１４】
0005320489.tif 000015